【手続補正書】
【提出日】令和3年7月8日(2021.7.8)
【手続補正１】
【補正対象書類名】特許請求の範囲
【補正対象項目名】全文
【補正方法】変更
【補正の内容】
【特許請求の範囲】
【請求項１】
複数の通信制御ビームのいずれかが機能していないかどうかを決定することと、
前記複数の通信制御ビーム中の少なくとも１つのアクティブな通信制御ビームを識別することと、
前記少なくとも１つのアクティブな通信制御ビーム上で部分的ビームペアリンク（ＢＰＬ）損失通信を通信することと、
前記部分的ＢＰＬ損失通信を受信すると、次の周期的チャネル状態情報基準信号（ＣＳＩ−ＲＳ）または周期的同期信号（ＳＳ）までの時間がしきい値を超える場合、非周期的ＣＳＩ−ＲＳ通信をスケジュールし、非周期的ビームステータス報告をトリガすることと、
新しいビーム情報とともに前記ビームステータス報告を送信することと、
前記ビームステータス報告に基づいて新しいＢＰＬ追加メッセージを送信することと、
を備える、通信のための方法。
【請求項２】
前記部分的ＢＰＬ損失通信を受信すると、前記次の周期的ＣＳＩ−ＲＳまたは周期的ＳＳまでの前記時間が前記しきい値を超えない場合、測定が前記周期的ＣＳＩ−ＲＳ通信と前記周期的ＳＳ通信とのうちの少なくとも１つに基づく非周期的ビームステータス報告をトリガすることと、
新しいビーム情報とともに前記ビームステータス報告を送信することと、
前記ビームステータス報告に基づいて新しいＢＰＬ追加メッセージを送信することと、
をさらに備える、請求項１に記載の方法。
【請求項３】
前記部分的ＢＰＬ損失通信を受信すると、基地局構成を更新し、ビーム障害回復プロセスに従うこと、
をさらに備える、請求項１に記載の方法。
【請求項４】
前記少なくとも１つのアクティブな通信制御ビーム上の前記部分的ＢＰＬ損失通信が、物理アップリンク制御チャネル（ＰＵＣＣＨ）通信を使用して送られる、請求項１に記載の方法。
【請求項５】
前記少なくとも１つのアクティブな通信制御ビーム上の前記部分的ＢＰＬ損失通信が、物理アップリンク共有チャネル（ＰＵＳＣＨ）通信におけるアップリンク（ＵＬ）媒体アクセス制御（ＭＡＣ）制御要素（ＣＥ）を使用して送られる、請求項１に記載の方法。
【請求項６】
前記部分的ＢＰＬ損失通信が、第１のノード上の通信デバイスのために第２のノード上の通信デバイスに送られ、前記第１のノード上の前記通信デバイスが前記部分的ＢＰＬ損失に遭遇している、請求項１に記載の方法。
【請求項７】
前記第２のノード上の前記通信デバイスが、前記第１のノード上の前記通信デバイスに前記部分的ＢＰＬ損失を通知する、請求項６に記載の方法。
【請求項８】
複数の通信制御ビームのいずれかが機能していないかどうかを決定するように構成されたユーザ機器（ＵＥ）と、
前記複数の通信制御ビーム中の少なくとも１つのアクティブな通信制御ビームを識別するように構成された前記ＵＥと、
前記少なくとも１つのアクティブな通信制御ビーム上で部分的ビームペアリンク（ＢＰＬ）損失通信を通信するように構成された前記ＵＥと、
次の周期的チャネル状態情報基準信号（ＣＳＩ−ＲＳ）または周期的同期信号（ＳＳ）までの時間がしきい値を超える場合、前記部分的ＢＰＬ損失通信を受信すると、非周期的ＣＳＩ−ＲＳ通信をスケジュールし、ＵＥからの非周期的ビームステータス報告をトリガように構成された基地局と、
新しいビーム情報とともに前記ビームステータス報告を前記基地局に送信するように構成された前記ＵＥと、
前記ビームステータス報告に基づいて新しいＢＰＬ追加メッセージを前記ＵＥに送信ように構成された前記基地局と、
を備える、通信のためのシステム。
【請求項９】
前記次の周期的ＣＳＩ−ＲＳまたは周期的ＳＳまでの記時間が記しきい値を超えない場合、前記部分的ＢＰＬ損失通信を受信すると、測定が周期的ＣＳＩ−ＲＳ通信と周期的ＳＳ通信とのうちの少なくとも１つに基づく前記ＵＥからの非周期的ビームステータス報告をトリガするように構成された前記基地局と、
新しいビーム情報とともに前記ビームステータス報告を前記基地局に送信するように構成された前記ＵＥと、
前記ビームステータス報告に基づいて新しいＢＰＬ追加メッセージを前記ＵＥに送信するように構成された前記基地局と、
をさらに備える、請求項８に記載のシステム。
【請求項１０】
前記部分的ＢＰＬ損失通信を受信すると、基地局構成を更新し、ビーム障害回復プロセスに従うように構成された前記基地局
をさらに備える、請求項８に記載のシステム。
【請求項１１】
前記少なくとも１つのアクティブな通信制御ビーム上の前記部分的ＢＰＬ損失通信が、物理アップリンク制御チャネル（ＰＵＣＣＨ）通信を使用して送られる、請求項８に記載のシステム。
【請求項１２】
前記少なくとも１つのアクティブな通信制御ビーム上の前記部分的ＢＰＬ損失通信が、物理アップリンク共有チャネル（ＰＵＳＣＨ）通信におけるアップリンク（ＵＬ）媒体アクセス制御（ＭＡＣ）制御要素（ＣＥ）を使用して送られる、請求項８に記載のシステム。
【請求項１３】
前記部分的ＢＰＬ損失通信が、第１のノード上の通信デバイスのために第２のノード上の通信デバイスに送られ、前記第１のノード上の前記通信デバイスが前記部分的ＢＰＬ損失に遭遇している、請求項８に記載のシステム。
【請求項１４】
前記第２のノード上の前記通信デバイスが、前記第１のノード上の前記通信デバイスに前記ＵＥとの前記部分的ＢＰＬ損失を通知する、請求項１２に記載のシステム。
【請求項１５】
通信のためのコンピュータ実行可能コードを記憶する非一時的コンピュータ可読媒体であって、前記コードは、
複数の通信制御ビームのいずれかが機能していないかどうかを決定することと、
前記複数の通信制御ビーム中の少なくとも１つのアクティブな通信制御ビームを識別することと、
前記少なくとも１つのアクティブな通信制御ビーム上で部分的ビームペアリンク（ＢＰＬ）損失通信を通信することと、
前記部分的ＢＰＬ損失通信を受信すると、次の周期的チャネル状態情報基準信号（ＣＳＩ−ＲＳ）または周期的同期信号（ＳＳ）までの時間がしきい値を超える場合、非周期的ＣＳＩ−ＲＳ通信をスケジュールし、非周期的ビームステータス報告をトリガすることと、
新しいビーム情報とともに前記ビームステータス報告を送信することと、
前記ビームステータス報告に基づいて新しいＢＰＬ追加メッセージを送信することと、
を行うためにプロセッサによって実行可能である、非一時的コンピュータ可読媒体。
【手続補正２】
【補正対象書類名】明細書
【補正対象項目名】０１９９
【補正方法】変更
【補正の内容】
【０１９９】
[00217]本開示についての以上の説明は、当業者が本開示を作成または使用することができるように提供された。本開示への様々な修正は当業者には容易に明らかとなり、本明細書で定義された一般原理は、本開示の範囲から逸脱することなく他の変形形態に適用され得る。したがって、本開示は、本明細書で説明される例および設計に限定されるべきでなく、本明細書で開示される原理および新規の特徴に合致する最も広い範囲を与えられるべきである。
以下に本願発明の当初の特許請求の範囲に記載された発明を付記する。
［Ｃ１］
複数の通信制御ビームのいずれかが機能していないかどうかを決定することと、
前記複数の通信制御ビーム中の少なくとも１つのアクティブな通信制御ビームを識別することと、
前記少なくとも１つのアクティブな通信制御ビーム上で部分的ビームペアリンク（ＢＰＬ）損失通信を通信することと
を備える、通信のための方法。
［Ｃ２］
前記部分的ビームペアリンク（ＢＰＬ）損失通信を受信すると、非周期的チャネル状態情報基準信号（ＣＳＩ−ＲＳ）通信をスケジュールし、非周期的ビームステータス報告をトリガすることと、
新しいビーム情報とともに前記ビームステータス報告を送信することと、
前記ビームステータス報告に基づいて新しいＢＰＬ追加メッセージを送信することとをさらに備える、Ｃ１に記載の方法。
［Ｃ３］
前記部分的ビームペアリンク（ＢＰＬ）損失通信を受信すると、測定が周期的チャネル状態情報基準信号（ＣＳＩ−ＲＳ）通信と周期的同期信号（ＳＳ）通信とのうちの少なくとも１つに基づく非周期的ビームステータス報告をトリガすることと、
新しいビーム情報とともに前記ビームステータス報告を送信することと、
前記ビームステータス報告に基づいて新しいＢＰＬ追加メッセージを送信することとをさらに備える、Ｃ１に記載の方法。
［Ｃ４］
前記部分的ビームペアリンク（ＢＰＬ）損失通信を受信すると、基地局構成を更新し、ビーム障害回復プロセスに従うこと
をさらに備える、Ｃ１に記載の方法。
［Ｃ５］
前記少なくとも１つのアクティブな通信制御ビーム上の前記部分的ビームペアリンク（ＢＰＬ）損失通信が、物理アップリンク制御チャネル（ＰＵＣＣＨ）通信を使用して送られる、Ｃ１に記載の方法。
［Ｃ６］
前記少なくとも１つのアクティブな通信制御ビーム上の前記部分的ビームペアリンク（ＢＰＬ）損失通信が、物理アップリンク共有チャネル（ＰＵＳＣＨ）通信におけるアップリンク（ＵＬ）媒体アクセス制御（ＭＡＣ）制御要素（ＣＥ）を使用して送られる、Ｃ１に記載の方法。
［Ｃ７］
前記部分的ビームペアリンク（ＢＰＬ）損失通信が、第１のノード上の通信デバイスのために第２のノード上の通信デバイスに送られ、前記第１のノード上の前記通信デバイスが前記部分的ビームペアリンク（ＢＰＬ）損失に遭遇している、Ｃ１に記載の方法。
［Ｃ８］
前記第２のノード上の前記通信デバイスが、前記第１のノード上の前記通信デバイスに前記部分的ビームペアリンク（ＢＰＬ）損失を通知する、Ｃ７に記載の方法。
［Ｃ９］
複数の通信制御ビームのいずれかが機能していないかどうかを決定することように構成されたユーザ機器（ＵＥ）と、
前記複数の通信制御ビーム中の少なくとも１つのアクティブな通信制御ビームを識別するように構成された前記ＵＥと、
前記少なくとも１つのアクティブな通信制御ビーム上で部分的ビームペアリンク（ＢＰＬ）損失通信を通信するように構成された前記ＵＥと
を備える、通信のためのシステム。
［Ｃ１０］
前記部分的ビームペアリンク（ＢＰＬ）損失通信を受信すると、非周期的チャネル状態情報基準信号（ＣＳＩ−ＲＳ）通信をスケジュールするように構成され、ＵＥからの非周期的ビームステータス報告をトリガするように構成された基地局と、
新しいビーム情報とともに前記ビームステータス報告を前記基地局に送信するように構成された前記ＵＥと、
前記ビームステータス報告に基づいて新しいＢＰＬ追加メッセージを前記ＵＥに送信するように構成された前記基地局と
をさらに備える、Ｃ９に記載のシステム。
［Ｃ１１］
前記部分的ビームペアリンク（ＢＰＬ）損失通信を受信すると、測定が周期的チャネル状態情報基準信号（ＣＳＩ−ＲＳ）通信と周期的同期信号（ＳＳ）通信とのうちの少なくとも１つに基づく前記ＵＥからの非周期的ビームステータス報告をトリガするように構成された基地局と、
新しいビーム情報とともに前記ビームステータス報告を前記基地局に送信するように構成された前記ＵＥと、
前記ビームステータス報告に基づいて新しいＢＰＬ追加メッセージを前記ＵＥに送信するように構成された前記基地局と
をさらに備える、Ｃ９に記載のシステム。
［Ｃ１２］
前記部分的ビームペアリンク（ＢＰＬ）損失通信を受信すると、基地局構成を更新し、ビーム障害回復プロセスに従うように構成された基地局
をさらに備える、Ｃ９に記載のシステム。
［Ｃ１３］
前記少なくとも１つのアクティブな通信制御ビーム上の前記部分的ビームペアリンク（ＢＰＬ）損失通信が、物理アップリンク制御チャネル（ＰＵＣＣＨ）通信を使用して送られる、Ｃ９に記載のシステム。
［Ｃ１４］
前記少なくとも１つのアクティブな通信制御ビーム上の前記部分的ビームペアリンク（ＢＰＬ）損失通信が、物理アップリンク共有チャネル（ＰＵＳＣＨ）通信におけるアップリンク（ＵＬ）媒体アクセス制御（ＭＡＣ）制御要素（ＣＥ）を使用して送られる、Ｃ９に記載のシステム。
［Ｃ１５］
前記部分的ビームペアリンク（ＢＰＬ）損失通信が、第１のノード上の通信デバイスのために第２のノード上の通信デバイスに送られ、前記第１のノード上の前記通信デバイスが前記部分的ビームペアリンク（ＢＰＬ）損失に遭遇している、Ｃ９に記載のシステム。
［Ｃ１６］
前記第２のノード上の前記通信デバイスが、前記第１のノード上の前記通信デバイスに前記ＵＥとの前記部分的ビームペアリンク（ＢＰＬ）損失を通知する、Ｃ１５に記載のシステム。
［Ｃ１７］
複数の通信制御ビームのいずれかが機能していないかどうかを決定することと、
前記複数の通信制御ビーム中の少なくとも１つのアクティブな通信制御ビームを識別することと、
第１の通信デバイスと第１の通信ノードとの間で部分的ビームペアリンク（ＢＰＬ）損失が起こったとき、部分的ビームペアリンク（ＢＰＬ）損失通信を通信することと、前記部分的ビームペアリンク（ＢＰＬ）損失通信が、前記第１の通信デバイスとの前記部分的ビームペアリンク（ＢＰＬ）損失に遭遇している前記第１の通信ノードのために前記第１の通信デバイスと第２の通信ノードとの間で起こっている、
を備える、通信のための方法。
［Ｃ１８］
前記部分的ビームペアリンク（ＢＰＬ）損失通信を受信すると、非周期的チャネル状態情報基準信号（ＣＳＩ−ＲＳ）通信をスケジュールし、非周期的ビームステータス報告をトリガすることと、
新しいビーム情報とともに前記ビームステータス報告を送信することと、
前記ビームステータス報告に基づいて新しいＢＰＬ追加メッセージを送信することとをさらに備える、Ｃ１７に記載の方法。
［Ｃ１９］
前記部分的ビームペアリンク（ＢＰＬ）損失通信を受信すると、測定が周期的チャネル状態情報基準信号（ＣＳＩ−ＲＳ）通信と周期的同期信号（ＳＳ）通信とのうちの少なくとも１つに基づく非周期的ビームステータス報告をトリガすることと、
新しいビーム情報とともに前記ビームステータス報告を送信することと、
前記ビームステータス報告に基づいて新しいＢＰＬ追加メッセージを送信することとをさらに備える、Ｃ１７に記載の方法。
［Ｃ２０］
前記部分的ビームペアリンク（ＢＰＬ）損失通信を受信すると、基地局構成を更新し、ビーム障害回復プロセスに従うこと
をさらに備える、Ｃ１７に記載の方法。
［Ｃ２１］
物理アップリンク制御チャネル（ＰＵＣＣＨ）通信を使用して前記少なくとも１つのアクティブな通信制御ビーム上で前記部分的ビームペアリンク（ＢＰＬ）損失通信を送ることをさらに備える、Ｃ１７に記載の方法。
［Ｃ２２］
物理アップリンク共有チャネル（ＰＵＳＣＨ）通信におけるアップリンク（ＵＬ）媒体アクセス制御（ＭＡＣ）制御要素（ＣＥ）を使用して前記少なくとも１つのアクティブな通信制御ビーム上で前記部分的ビームペアリンク（ＢＰＬ）損失通信をさらに備える、Ｃ１７に記載の方法。
［Ｃ２３］
前記第２の通信ノードが前記第１の通信ノードに前記部分的ビームペアリンク（ＢＰＬ）損失を通知することをさらに備える、Ｃ１７に記載の方法。
［Ｃ２４］
通信のためのコンピュータ実行可能コードを記憶する非一時的コンピュータ可読媒体であって、前記コードは、
複数の通信制御ビームのいずれかが機能していないかどうかを決定することと、
前記複数の通信制御ビーム中の少なくとも１つのアクティブな通信制御ビームを識別することと、
前記少なくとも１つのアクティブな通信制御ビーム上で部分的ビームペアリンク（ＢＰＬ）損失通信を通信することと
を行うためにプロセッサによって実行可能である、非一時的コンピュータ可読媒体。
［Ｃ２５］
前記コードが、
前記部分的ビームペアリンク（ＢＰＬ）損失通信を受信すると、非周期的チャネル状態情報基準信号（ＣＳＩ−ＲＳ）通信をスケジュールし、非周期的ビームステータス報告をトリガすることと、
新しいビーム情報とともに前記ビームステータス報告を送信することと、
前記ビームステータス報告に基づいて新しいＢＰＬ追加メッセージを送信することとを行うためにプロセッサによって実行可能である、Ｃ２４に記載の非一時的コンピュータ可読媒体。
［Ｃ２６］
前記コードは、
前記部分的ビームペアリンク（ＢＰＬ）損失通信を受信すると、測定が周期的チャネル状態情報基準信号（ＣＳＩ−ＲＳ）通信と周期的同期信号（ＳＳ）通信とのうちの少なくとも１つに基づく非周期的ビームステータス報告をトリガすることと、
新しいビーム情報とともに前記ビームステータス報告を送信することと、
前記ビームステータス報告に基づいて新しいＢＰＬ追加メッセージを送信することとを行うためにプロセッサによって実行可能である、Ｃ２４に記載の非一時的コンピュータ可読媒体。
［Ｃ２７］
前記コードは、
前記部分的ビームペアリンク（ＢＰＬ）損失通信を受信すると、基地局構成を更新し、ビーム障害回復プロセスに従うこと
を行うためにプロセッサによって実行可能である、Ｃ２４に記載の非一時的コンピュータ可読媒体。
［Ｃ２８］
前記コードが、
物理アップリンク制御チャネル（ＰＵＣＣＨ）通信を使用して前記少なくとも１つのアクティブな通信制御ビーム上で前記部分的ビームペアリンク（ＢＰＬ）損失通信を送ること
を行うためにプロセッサによって実行可能である、Ｃ２４に記載の非一時的コンピュータ可読媒体。
［Ｃ２９］
前記コードが、
物理アップリンク共有チャネル（ＰＵＳＣＨ）通信におけるアップリンク（ＵＬ）媒体アクセス制御（ＭＡＣ）制御要素（ＣＥ）を使用して前記少なくとも１つのアクティブな通信制御ビーム上で前記部分的ビームペアリンク（ＢＰＬ）損失通信を送ること
を行うためにプロセッサによって実行可能である、Ｃ２４に記載の非一時的コンピュータ可読媒体。
［Ｃ３０］
前記コードは、
第１のノード上の通信デバイスのために第２のノード上の通信デバイスに前記部分的ビームペアリンク（ＢＰＬ）損失通信を送ること、前記第１のノード上の前記通信デバイスが前記部分的ビームペアリンク（ＢＰＬ）損失に遭遇している、
を行うためにプロセッサによって実行可能である、Ｃ２４に記載の非一時的コンピュータ可読媒体。